(57)【要約】  本発明の画像表示装置は、入力画像を第１の多原色画像に分解する画像分解部（１１）と、第１の多原色画像を、該第１の多原色画像を打ち消す第２の多原色画像に変換する画像変換部（１２）と、第１の期間では、第１の多原色画像の第１〜第Ｎのプレーン及び第２の多原色画像の第Ｎ＋１〜第２Ｎのプレーンを第３の多原色画像の第１〜第２Ｎのプレーンに割り当て、第２の期間では、第２の多原色画像の第１〜第Ｎのプレーン及び第１の多原色画像の第Ｎ＋１〜第２Ｎのプレーンを第４の多原色画像の第１〜第２Ｎのプレーンに割り当て、第３及び第４の多原色画像を時分割で出力する多重化部（１３）と、第３及び第４の多原色画像の第１〜第２Ｎのプレーンの画像を、第１〜第２Ｎの原色により合成して表示する多原色表示装置（１４）と、第１の期間では、第１〜第Ｎの原色のみを、第２の期間では、第Ｎ＋１〜第２Ｎの原色のみを透過させる光シャッタ（１５）とを有する。
2009028262.tif 000002
【特許請求の範囲】
【請求項１】
入力画像を、第１〜第２Ｎ（Ｎは１以上の整数）のプレーンからなる第１の多原色画像に分解する画像分解部と、
前記第１の多原色画像を、当該第１の多原色画像を打ち消すための、第１〜第２Ｎのプレーンからなる第２の多原色画像に変換する画像変換部と、
第１の期間において、前記第１の多原色画像の第１〜第Ｎのプレーン及び前記第２の多原色画像の第Ｎ＋１〜第２Ｎのプレーンを、それぞれ第３の多原色画像の第１〜第２Ｎのプレーンに割り当て、第２の期間において、前記第２の多原色画像の第１〜第Ｎのプレーン及び前記第１の多原色画像の第Ｎ＋１〜第２Ｎのプレーンを、それぞれ第４の多原色画像の第１〜第２Ｎのプレーンに割り当て、前記第３の多原色画像及び前記第４の多原色画像を時分割で出力する多重化部と、
前記多重化部から時分割で出力された前記第３の多原色画像及び前記第４の多原色画像の第１〜第２Ｎのプレーンの画像を、それぞれ、互いに重ならない分光輝度特性をもつ第１〜第２Ｎの原色により空間的に合成して表示する多原色表示装置と、
前記第１の期間において、前記多原色表示装置における前記第１〜第Ｎの原色のみを透過させて前記第Ｎ＋１〜第２Ｎの原色を遮断し、前記第２の期間において、前記多原色表示装置における前記第Ｎ＋１〜第２Ｎの原色のみを透過させて前記第１〜第Ｎの原色を遮断する光シャッタと、を有する画像表示装置。
【請求項２】
請求項１に記載の画像表示装置において、
Ｎ＝３であり、
前記画像分解部は、入力画像を、第１〜第６のプレーンからなる第１の６原色画像に分解し、
前記画像変換部は、前記第１の６原色画像を、当該第１の６原色画像を打ち消すための、第１〜第６のプレーンからなる第２の６原色画像に変換し、
前記多重化部は、前記第１の期間において、前記第１の６原色画像の第１〜第３のプレーン及び前記第２の６原色画像の第４〜第６のプレーンを、それぞれ第３の６原色画像の第１〜第６のプレーンに割り当て、前記第２の期間において、前記第２の６原色画像の第１〜第３のプレーン及び前記第１の６原色画像の第４〜第６のプレーンを、それぞれ第４の６原色画像の第１〜第６のプレーンに割り当て、前記第３の６原色画像及び前記第４の６原色画像を時分割で出力し、
前記多原色表示装置は、前記多重化部から時分割で出力された前記第３の６原色画像及び前記第４の６原色画像の第１〜第６のプレーンの画像を、それぞれ、互いに重ならない分光輝度特性をもつ第１〜第６の原色により空間的に合成して表示する６原色表示装置であり、
前記光シャッタは、前記第１の期間において、前記６原色表示装置における前記第１〜第３の原色のみを透過させて前記第４〜第６の原色を遮断し、前記第２の期間において、前記６原色表示装置における前記第４〜第６の原色のみを透過させて前記第１〜第３の原色を遮断する、画像表示装置。
【請求項３】
請求項１に記載の画像表示装置において、
第２の入力画像を、第１〜第２Ｎのプレーンからなる第５の多原色画像に分解する第２の画像分解部をさらに有し、
前記多重化部は、前記第１の期間において、前記第１の多原色画像の第１〜第Ｎのプレーン及び前記第２の多原色画像の第Ｎ＋１〜第２Ｎのプレーンを、それぞれ第３の多原色画像の第１〜第２Ｎのプレーンに割り当て、前記第２の期間において、前記第２の多原色画像の第１〜第Ｎのプレーン及び前記第１の多原色画像の第Ｎ＋１〜第２Ｎのプレーンを、それぞれ第４の多原色画像の第１〜第２Ｎのプレーンに割り当て、第３の期間において、前記第５の多原色画像の第１〜第２Ｎのプレーンを、それぞれ第６の多原色画像の第１〜第２Ｎのプレーンに割り当て、前記第３の多原色画像、前記第４の多原色画像及び前記第６の多原色画像を時分割で出力し、
前記多原色表示装置は、前記多重化部から時分割で出力された前記第３の多原色画像、前記第４の多原色画像及び前記第６の多原色画像の第１〜第２Ｎのプレーンの画像を、それぞれ、互いに重ならない分光輝度特性をもつ第１〜第２Ｎの原色により空間的に合成して表示し、
前記光シャッタは、前記第１の期間において、前記多原色表示装置における前記第１〜第Ｎの原色のみを透過させて前記第Ｎ＋１〜第２Ｎの原色を遮断し、前記第２の期間において、前記多原色表示装置における前記第Ｎ＋１〜第２Ｎの原色のみを透過させて前記第１〜第Ｎの原色を遮断し、前記第３の期間において、前記多原色表示装置における前記第１〜第２Ｎの原色のいずれも遮断する、画像表示装置。
【請求項４】
請求項３に記載の画像表示装置において、
Ｎ＝３であり、
前記画像分解部は、入力画像を、第１〜第６のプレーンからなる第１の６原色画像に分解し、
前記画像変換部は、前記第１の６原色画像を、当該第１の６原色画像を打ち消すための、第１〜第６のプレーンからなる第２の６原色画像に変換し、
前記第２の画像分解部は、第２の入力画像を、第１〜第６のプレーンからなる第５の６原色画像に分解し、
前記多重化部は、前記第１の期間において、前記第１の６原色画像の第１〜第３のプレーン及び前記第２の６原色画像の第４〜第６のプレーンを、それぞれ第３の６原色画像の第１〜第６のプレーンに割り当て、前記第２の期間において、前記第２の６原色画像の第１〜第３のプレーン及び前記第１の６原色画像の第４〜第６のプレーンを、それぞれ第４の６原色画像の第１〜第６のプレーンに割り当て、前記第３の期間において、前記第５の６原色画像の第１〜第６のプレーンを、それぞれ第６の６原色画像の第１〜第６のプレーンに割り当て、前記第３の６原色画像、前記第４の６原色画像及び前記第６の６原色画像を時分割で出力し、
前記多原色表示装置は、前記多重化部から時分割で出力された前記第３の６原色画像、前記第４の６原色画像及び前記第６の６原色画像の第１〜第６のプレーンの画像を、それぞれ、互いに重ならない分光輝度特性をもつ第１〜第６の原色により空間的に合成して表示する６原色表示装置であり、
前記光シャッタは、前記第１の期間において、前記６原色表示装置における前記第１〜第３の原色のみを透過させて前記第４〜第６の原色を遮断し、前記第２の期間において、前記６原色表示装置における前記第４〜第６の原色のみを透過させて前記第１〜第３の原色を遮断し、前記第３の期間において、前記６原色表示装置における前記第１〜第６の原色のいずれも遮断する、画像表示装置。
【請求項５】
請求項２または４に記載の画像表示装置において、
前記画像変換部は、前記第１の６原色画像の各画素の輝度値と、前記第２の６原色画像の各画素の輝度値と、を加算したときに、全ての画素が一定の輝度値となるように前記第２の６原色画像を生成する、画像表示装置。
【請求項６】
請求項２または４に記載の画像表示装置において、
前記６原色表示装置は、
第１の３原色プロジェクタと、
第２の３原色プロジェクタと、
前記第１の３原色プロジェクタの画像出力部に設けられ、前記第１の３原色プロジェクタにおける各原色のスペクトルの長波長側のみを透過させる分光透過率特性をもつ第１のフィルタと、
前記第２の３原色プロジェクタの画像出力部に設けられ、前記第２の３原色プロジェクタにおける各原色のスペクトルの短波長側のみを透過させる分光透過率特性をもつ第２のフィルタと、を有し、
前記第１の３原色プロジェクタから出力される画像と前記第２の３原色プロジェクタから出力される画像とを空間的に合成して表示する、画像表示装置。
【請求項７】
請求項２または４に記載の画像表示装置において、
前記６原色表示装置は、互いに重ならない分光透過率特性をもつ、６色のカラーフィルタを備えた液晶表示装置である、画像表示装置。
【請求項８】
請求項２または４に記載の画像表示装置において、
前記６原色表示装置は、互いに重ならない分光透過率特性をもつ、６色のカラーフィルタを備えたプラズマディスプレイである、画像表示装置。
【請求項９】
請求項２または４に記載の画像表示装置において、
前記６原色表示装置は、互いに重ならない分光放射輝度特性をもつ、６色の有機ＥＬ素子からなる有機ＥＬディスプレイである、画像表示装置。
【請求項１０】
請求項２または４に記載の画像表示装置において、
前記光シャッタは、
前記６原色表示装置における前記第１〜第３の原色を透過させる第１のカラーフィルタと、前記６原色表示装置における前記第４〜第６の原色を透過させる第２のカラーフィルタと、を市松状に配置した単純マトリクスまたはアクティブマトリクスの液晶パネルであり、
前記第１の期間において、前記第１のカラーフィルタが配置された画素の液晶は光を透過させる状態となり、前記第２のカラーフィルタが配置された画素の液晶は光を遮断する状態となり、
前記第２の期間において、前記第２のカラーフィルタが配置された画素の液晶は光を透過させる状態となり、前記第１のカラーフィルタが配置された画素の液晶は光を遮断する状態となる、画像表示装置。
【請求項１１】
請求項２に記載の画像表示装置において、
第２の入力画像を、第１〜第６のプレーンからなる第５の６原色画像に分解する第２の画像分解部をさらに有し、
前記多重化部は、
前記第１の期間において、前記第１の６原色画像の第１〜第３のプレーン、前記第２の６原色画像の第４のプレーンと前記第５の６原色画像の第４のプレーンとの加算画像、前記第２の６原色画像の第５のプレーンと前記第５の６原色画像の第５のプレーンとの加算画像、前記第２の６原色画像の第６のプレーンと前記第５の６原色画像の第６のプレーンとの加算画像を、それぞれ第３の６原色画像の第１〜第６のプレーンに割り当て、
前記第２の期間において、前記第１の６原色画像の第１のプレーンと前記第５の６原色画像の第１のプレーンとの加算画像、前記第１の６原色画像の第２のプレーンと前記第５の６原色画像の第２のプレーンとの加算画像、前記第１の６原色画像の第３のプレーンと前記第５の６原色画像の第３のプレーンとの加算画像、前記第２の６原色画像の第４〜第６のプレーンを、それぞれ第４の６原色画像の第１〜第６のプレーンに割り当て、
前記第３の多原色画像及び前記第４の多原色画像を時分割で出力する、画像表示装置。
【請求項１２】
請求項４に記載の画像表示装置において、
前記多重化部は、
前記第１の期間において、前記第１の６原色画像の第１〜第３のプレーン、前記第２の６原色画像の第４のプレーンと前記第５の６原色画像の第４のプレーンとの加算画像、前記第２の６原色画像の第５のプレーンと前記第５の６原色画像の第５のプレーンとの加算画像、前記第２の６原色画像の第６のプレーンと前記第５の６原色画像の第６のプレーンとの加算画像を、それぞれ第３の６原色画像の第１〜第６のプレーンに割り当て、
前記第２の期間において、前記第１の６原色画像の第１のプレーンと前記第５の６原色画像の第１のプレーンとの加算画像、前記第１の６原色画像の第２のプレーンと前記第５の６原色画像の第２のプレーンとの加算画像、前記第１の６原色画像の第３のプレーンと前記第５の６原色画像の第３のプレーンとの加算画像、前記第２の６原色画像の第４〜第６のプレーンを、それぞれ第４の６原色画像の第１〜第６のプレーンに割り当て、
前記第３の期間において、前記第５の６原色画像の第１〜第６のプレーンを、それぞれ第６の６原色画像の第１〜第６のプレーンに割り当て、
前記第３の６原色画像、前記第４の６原色画像及び前記第６の６原色画像を時分割に出力する、画像表示装置。
【請求項１３】
画像表示装置による画像表示方法であって、
入力画像を、第１〜第２Ｎ（Ｎは１以上の整数）のプレーンからなる第１の多原色画像に分解する画像分解ステップと、
前記第１の多原色画像を、当該第１の多原色画像を打ち消すための、第１〜第２Ｎのプレーンからなる第２の多原色画像に変換する画像変換ステップと、
第１の期間において、前記第１の多原色画像の第１〜第Ｎのプレーン及び前記第２の多原色画像の第Ｎ＋１〜第２Ｎのプレーンを、それぞれ第３の多原色画像の第１〜第２Ｎのプレーンに割り当て、第２の期間において、前記第２の多原色画像の第１〜第Ｎのプレーン及び前記第１の多原色画像の第Ｎ＋１〜第２Ｎのプレーンを、それぞれ第４の多原色画像の第１〜第２Ｎのプレーンに割り当て、前記第３の多原色画像及び前記第４の多原色画像を時分割で出力する多重化ステップと、
前記時分割で出力された前記第３の多原色画像及び前記第４の多原色画像の第１〜第２Ｎのプレーンの画像を、それぞれ、互いに重ならない分光輝度特性をもつ第１〜第２Ｎの原色により空間的に合成して多原色表示装置に表示する表示ステップと、
光シャッタにより、前記第１の期間において、前記多原色表示装置における前記第１〜第Ｎの原色のみを透過させて前記第Ｎ＋１〜第２Ｎの原色を遮断し、前記第２の期間において、前記多原色表示装置における前記第Ｎ＋１〜第２Ｎの原色のみを透過させて前記第１〜第Ｎの原色を遮断するシャッタステップと、を有する画像表示方法。
【請求項１４】
請求項１３に記載の画像表示方法において、
Ｎ＝３であり、
前記画像分解ステップでは、入力画像を、第１〜第６のプレーンからなる第１の６原色画像に分解し、
前記画像変換ステップでは、前記第１の６原色画像を、当該第１の６原色画像を打ち消すための、第１〜第６のプレーンからなる第２の６原色画像に変換し、
前記多重化ステップでは、前記第１の期間において、前記第１の６原色画像の第１〜第３のプレーン及び前記第２の６原色画像の第４〜第６のプレーンを、それぞれ第３の６原色画像の第１〜第６のプレーンに割り当て、前記第２の期間において、前記第２の６原色画像の第１〜第３のプレーン及び前記第１の６原色画像の第４〜第６のプレーンを、それぞれ第４の６原色画像の第１〜第６のプレーンに割り当て、前記第３の６原色画像及び前記第４の６原色画像を時分割で出力し、
前記表示ステップでは、前記時分割で出力された前記第３の６原色画像及び前記第４の６原色画像の第１〜第６のプレーンの画像を、それぞれ、互いに重ならない分光輝度特性をもつ第１〜第６の原色により空間的に合成して前記多原色表示装置に表示し、
前記シャッタステップでは、前記光シャッタにより、前記第１の期間において、前記多原色表示装置における前記第１〜第３の原色のみを透過させて前記第４〜第６の原色を遮断し、前記第２の期間において、前記多原色表示装置における前記第４〜第６の原色のみを透過させて前記第１〜第３の原色を遮断する、画像表示方法。
【請求項１５】
請求項１３に記載の画像表示方法において、
第２の入力画像を、第１〜第２Ｎのプレーンからなる第５の多原色画像に分解する第２の画像分解ステップをさらに有し、
前記多重化ステップでは、前記第１の期間において、前記第１の多原色画像の第１〜第Ｎのプレーン及び前記第２の多原色画像の第Ｎ＋１〜第２Ｎのプレーンを、それぞれ第３の多原色画像の第１〜第２Ｎのプレーンに割り当て、前記第２の期間において、前記第２の多原色画像の第１〜第Ｎのプレーン及び前記第１の多原色画像の第Ｎ＋１〜第２Ｎのプレーンを、それぞれ第４の多原色画像の第１〜第２Ｎのプレーンに割り当て、第３の期間において、前記第５の多原色画像の第１〜第２Ｎのプレーンを、それぞれ第６の多原色画像の第１〜第２Ｎのプレーンに割り当て、前記第３の多原色画像、前記第４の多原色画像及び前記第６の多原色画像を時分割で出力し、
前記表示ステップでは、前記時分割で出力された前記第３の多原色画像、前記第４の多原色画像及び前記第６の多原色画像の第１〜第２Ｎのプレーンの画像を、それぞれ、互いに重ならない分光輝度特性をもつ第１〜第２Ｎの原色により空間的に合成して前記多原色表示装置に表示し、
前記シャッタステップでは、前記光シャッタにより、前記第１の期間において、前記多原色表示装置における前記第１〜第Ｎの原色のみを透過させて前記第Ｎ＋１〜第２Ｎの原色を遮断し、前記第２の期間において、前記多原色表示装置における前記第Ｎ＋１〜第２Ｎの原色のみを透過させて前記第１〜第Ｎの原色を遮断し、前記第３の期間において、前記多原色表示装置における前記第１〜第２Ｎの原色のいずれも遮断する、画像表示方法。
【請求項１６】
請求項１５に記載の画像表示方法において、
Ｎ＝３であり、
前記画像分解ステップでは、入力画像を、第１〜第６のプレーンからなる第１の６原色画像に分解し、
前記画像変換ステップでは、前記第１の６原色画像を、当該第１の６原色画像を打ち消すための、第１〜第６のプレーンからなる第２の６原色画像に変換し、
前記第２の画像分解ステップでは、第２の入力画像を、第１〜第６のプレーンからなる第５の６原色画像に分解し、
前記多重化ステップでは、前記第１の期間において、前記第１の６原色画像の第１〜第３のプレーン及び前記第２の６原色画像の第４〜第６のプレーンを、それぞれ第３の６原色画像の第１〜第６のプレーンに割り当て、前記第２の期間において、前記第２の６原色画像の第１〜第３のプレーン及び前記第１の６原色画像の第４〜第６のプレーンを、それぞれ第４の６原色画像の第１〜第６のプレーンに割り当て、前記第３の期間において、前記第５の６原色画像の第１〜第６のプレーンを、それぞれ第６の６原色画像の第１〜第６のプレーンに割り当て、前記第３の６原色画像、前記第４の６原色画像及び前記第６の６原色画像を時分割で出力し、
前記表示ステップでは、前記時分割で出力された前記第３の６原色画像、前記第４の６原色画像及び前記第６の６原色画像の第１〜第６のプレーンの画像を、それぞれ、互いに重ならない分光輝度特性をもつ第１〜第６の原色により空間的に合成して前記多原色表示装置に表示し、
前記シャッタステップでは、前記光シャッタにより、前記第１の期間において、前記多原色表示装置における前記第１〜第３の原色のみを透過させて前記第４〜第６の原色を遮断し、前記第２の期間において、前記多原色表示装置における前記第４〜第６の原色のみを透過させて前記第１〜第３の原色を遮断し、前記第３の期間において、前記多原色表示装置における前記第１〜第６の原色のいずれも遮断する、画像表示方法。
【請求項１７】
請求項１４または１６に記載の画像表示方法において、
前記画像変換ステップでは、前記第１の６原色画像の各画素の輝度値と、前記第２の６原色画像の各画素の輝度値と、を加算したときに、全ての画素が一定の輝度値となるように前記第２の６原色画像を生成する、画像表示方法。
【請求項１８】
請求項１４に記載の画像表示方法において、
第２の入力画像を、第１〜第６のプレーンからなる第５の６原色画像に分解する第２の画像分解ステップをさらに有し、
前記多重化ステップでは、
前記第１の期間において、前記第１の６原色画像の第１〜第３のプレーン、前記第２の６原色画像の第４のプレーンと前記第５の６原色画像の第４のプレーンとの加算画像、前記第２の６原色画像の第５のプレーンと前記第５の６原色画像の第５のプレーンとの加算画像、前記第２の６原色画像の第６のプレーンと前記第５の６原色画像の第６のプレーンとの加算画像を、それぞれ第３の６原色画像の第１〜第６のプレーンに割り当て、
前記第２の期間において、前記第１の６原色画像の第１のプレーンと前記第５の６原色画像の第１のプレーンとの加算画像、前記第１の６原色画像の第２のプレーンと前記第５の６原色画像の第２のプレーンとの加算画像、前記第１の６原色画像の第３のプレーンと前記第５の６原色画像の第３のプレーンとの加算画像、前記第２の６原色画像の第４〜第６のプレーンを、それぞれ第４の６原色画像の第１〜第６のプレーンに割り当て、
前記第３の多原色画像及び前記第４の多原色画像を時分割で出力する、画像表示方法。
【請求項１９】
請求項１６に記載の画像表示方法において、
前記多重化ステップでは、
前記第１の期間において、前記第１の６原色画像の第１〜第３のプレーン、前記第２の６原色画像の第４のプレーンと前記第５の６原色画像の第４のプレーンとの加算画像、前記第２の６原色画像の第５のプレーンと前記第５の６原色画像の第５のプレーンとの加算画像、前記第２の６原色画像の第６のプレーンと前記第５の６原色画像の第６のプレーンとの加算画像を、それぞれ第３の６原色画像の第１〜第６のプレーンに割り当て、
前記第２の期間において、前記第１の６原色画像の第１のプレーンと前記第５の６原色画像の第１のプレーンとの加算画像、前記第１の６原色画像の第２のプレーンと前記第５の６原色画像の第２のプレーンとの加算画像、前記第１の６原色画像の第３のプレーンと前記第５の６原色画像の第３のプレーンとの加算画像、前記第２の６原色画像の第４〜第６のプレーンを、それぞれ第４の６原色画像の第１〜第６のプレーンに割り当て、
前記第３の期間において、前記第５の６原色画像の第１〜第６のプレーンを、それぞれ第６の６原色画像の第１〜第６のプレーンに割り当て、
前記第３の６原色画像、前記第４の６原色画像及び前記第６の６原色画像を時分割に出力する、画像表示方法。
【発明の詳細な説明】
【技術分野】
【０００１】
本発明は、画像表示装置及び画像表示方法に関し、特に、使用者や認証された者などに画像内容を提供することができる画像表示装置及び画像表示方法に関する。
【背景技術】
【０００２】
液晶ディスプレイやプラズマディスプレイをはじめとするフラットパネルディスプレイは、携帯電話といったモバイル機器から、公衆ディスプレイといった大型装置にまで、幅広く適用されている。こういったディスプレイの多くは、広視野角、高輝度、高画質といった点に開発の重点が置かれており、どのような角度からでも、きれいに見やすく表示することが求められてきた。【０００３】
一方、ディスプレイで表示するコンテンツの中には、秘密情報やプライベートデータなど、他人には見られたくないものもある。情報機器の発達にともなうユビキタス化が進展する現在、不特定多数の者が存在する公衆下であっても、他人にコンテンツを見られないようにすることが重要な課題となっている。加えて、オフィス内においても、座席の後ろを通る人に見られたくない秘密情報を扱う場合もある。【０００４】
携帯電話などに搭載されているディスプレイの中には、光学的な遮蔽板（ルーバー）を設けて、特定の方向からのみ表示内容を見ることができるようなものもある。しかし、このようなディスプレイも、真後ろからは表示内容を見ることができてしまうため、機密保持の点からは十分とはいえない。【０００５】
上記問題を解決する技術として、特許文献１に開示された画像表示装置がある。この画像表示装置は、画像選択機能を備える眼鏡をつけた人にのみ画像（以下、秘密画像とよぶ）を提供し、その他の者には別の画像（以下、公衆画像とよぶ）を見せるものである。【０００６】
図１は、特許文献１に開示された画像表示装置の構成を示す図である。【０００７】
図１に示すように、特許文献１に開示された画像表示装置においては、入力された画像信号２０１は、まず、フレーム分の画像情報蓄積メモリ２０２にフレーム信号２０３によって制御されて蓄積される。次に、画像情報蓄積メモリ２０２に蓄積された画像信号は、フレーム周期の２倍の速度で２回読み出される。最初に読み出された画像信号は、２分の１に圧縮された第１画像信号２０４として合成回路２０５に入力され、次に読み出された画像信号は、彩度輝度変換回路２０６により彩度及び輝度が変換された後、第２画像信号２０７として合成回路２０５に入力される。合成回路２０５の出力は、表示信号として画像表示器２０８に供給される。従って、画像表示器２０８には、第１画像信号２０４による画像と第２画像信号２０７による画像とが交互に表示される。また、眼鏡シャッタタイミング発生回路２０９は、フレーム信号２０３を基にして、眼鏡２１１をかけた人には第２画像信号２０７による画像が見えないように眼鏡２１１のシャッタを駆動する、眼鏡シャッタ駆動信号２１０を生成する。このような構成のため、眼鏡２１１をかけない人は、第１画像信号２０４による画像と第２画像信号２０７による彩度及び輝度が変換された画像とが同時に重なって見えることから、第１画像信号２０４とは関係のない灰色画像あるいは第３の画像（公衆画像）を見ることになる。一方、眼鏡２１１をかけた人は、第１画像信号２０４による所望の画像（秘密画像）を見ることができる。【０００８】
上記問題を解決する別の技術として、特許文献２において、“ＳＥＣＵＲＥ  ＶＩＥＷＩＮＧ  ＯＦ  ＤＩＳＰＬＡＹ  ＵＮＩＴＳ  ＢＹ  ＩＭＡＧＥ  ＳＵＰＥＲＰＯＳＩＴＯＮ  ＡＮＤ  ＷＡＶＥＬＥＮＧＴＨ  ＳＥＰＡＲＡＴＩＯＮ”を実現するために開示された画像表示装置がある。【０００９】
図２は、特許文献２に開示された画像表示装置の構成を示す図である。【００１０】
図２に示すように、特許文献２に開示された画像表示装置においては、互いに異なる原色スペクトルを持つ３原色ディスプレイ３０１，３０２の画像を、ビームスプリッタ３０３で合成する。この合成画像を３原色ディスプレイ３０１または３０２のいずれか一方の原色のみを透過させるようなフィルタ３０４を通して見たユーザ３０５は、３原色ディスプレイ３０１または３０２のどちらかの画像が見える。しかし、フィルタ３０４を通さない場合は、３原色ディスプレイ３０１，３０２のいずれの画像も見ることができない。【００１１】
しかしながら、特許文献１，２に開示された画像表示装置には、それぞれ次のような課題がある。【００１２】
特許文献１に開示された画像表示装置においては、第１画像信号と第２画像信号はポジとネガの関係にあり、第１画像信号で明るい部分は第２画像信号では暗くなり、逆に、第１画像信号で暗い部分は第２画像信号では明るくなる。そのため、第１画像信号の画像と第２画像信号の画像とのコントラストが高くなり、その結果、眼鏡を通さないで見る人には画像がフリッカとして知覚されやすいという課題があった。【００１３】
また、特許文献２に開示された画像表示装置においては、特許文献１のように高速に画像を切り替えて表示しないのでフリッカの問題は生じない。しかし、特許文献２の秘密画像を見るためのフィルタは、特許文献１のように画像に同期してＯＮ／ＯＦＦを切り替える必要はないため、２組の３原色のうちの一方の３原色のみを透過させるものであればよい。そのため、セロハンなどの透過物によりフィルタを簡単に偽造できてしまい、秘密画像を簡単に盗み見できてしまうという課題があった。
【特許文献１】特開昭６３−３１２７８８号公報
【特許文献２】米国特許第５５３７４７６号明細書
【発明の開示】
【００１４】
そこで、本発明の目的は、フリッカを生じさせずに、高い秘匿性を得るという上述の課題を解決することができる画像表示装置及び画像表示方法を提供することにある。
【００１５】
上記課題を解決するために本発明の画像表示装置は、
入力画像を、第１〜第２Ｎ（Ｎは１以上の整数）のプレーンからなる第１の多原色画像に分解する画像分解部と、
前記第１の多原色画像を、当該第１の多原色画像を打ち消すための、第１〜第２Ｎのプレーンからなる第２の多原色画像に変換する画像変換部と、
第１の期間において、前記第１の多原色画像の第１〜第Ｎのプレーン及び前記第２の多原色画像の第Ｎ＋１〜第２Ｎのプレーンを、それぞれ第３の多原色画像の第１〜第２Ｎのプレーンに割り当て、第２の期間において、前記第２の多原色画像の第１〜第Ｎのプレーン及び前記第１の多原色画像の第Ｎ＋１〜第２Ｎのプレーンを、それぞれ第４の多原色画像の第１〜第２Ｎのプレーンに割り当て、前記第３の多原色画像及び前記第４の多原色画像を時分割で出力する多重化部と、
前記多重化部から時分割で出力された前記第３の多原色画像及び前記第４の多原色画像の第１〜第２Ｎのプレーンの画像を、それぞれ、互いに重ならない分光輝度特性をもつ第１〜第２Ｎの原色により空間的に合成して表示する多原色表示装置と、
前記第１の期間において、前記多原色表示装置における前記第１〜第Ｎの原色のみを透過させて前記第Ｎ＋１〜第２Ｎの原色を遮断し、前記第２の期間において、前記多原色表示装置における前記第Ｎ＋１〜第２Ｎの原色のみを透過させて前記第１〜第Ｎの原色を遮断する光シャッタと、を有することを特徴とする。
【００１６】
上記課題を解決するために本発明の画像表示方法は、
画像表示装置による画像表示方法であって、
入力画像を、第１〜第２Ｎ（Ｎは１以上の整数）のプレーンからなる第１の多原色画像に分解する画像分解ステップと、
前記第１の多原色画像を、当該第１の多原色画像を打ち消すための、第１〜第２Ｎのプレーンからなる第２の多原色画像に変換する画像変換ステップと、
第１の期間において、前記第１の多原色画像の第１〜第Ｎのプレーン及び前記第２の多原色画像の第Ｎ＋１〜第２Ｎのプレーンを、それぞれ第３の多原色画像の第１〜第２Ｎのプレーンに割り当て、第２の期間において、前記第２の多原色画像の第１〜第Ｎのプレーン及び前記第１の多原色画像の第Ｎ＋１〜第２Ｎのプレーンを、それぞれ第４の多原色画像の第１〜第２Ｎのプレーンに割り当て、前記第３の多原色画像及び前記第４の多原色画像を時分割で出力する多重化ステップと、
前記時分割で出力された前記第３の多原色画像及び前記第４の多原色画像の第１〜第２Ｎのプレーンの画像を、それぞれ、互いに重ならない分光輝度特性をもつ第１〜第２Ｎの原色により空間的に合成して多原色表示装置に表示する表示ステップと、
光シャッタにより、前記第１の期間において、前記多原色表示装置における前記第１〜第Ｎの原色のみを透過させて前記第Ｎ＋１〜第２Ｎの原色を遮断し、前記第２の期間において、前記多原色表示装置における前記第Ｎ＋１〜第２Ｎの原色のみを透過させて前記第１〜第Ｎの原色を遮断するシャッタステップと、を有することを特徴とする。
【００１７】
本発明によれば、光シャッタを通さずに多原色表示装置を見た場合、第１の期間では、第１〜第Ｎの原色で表示される第１の多原色画像が第Ｎ＋１〜第２Ｎの原色で表示される第２の多原色画像により打ち消され、第２の期間では、第１〜第Ｎの原色で表示される第２の多原色画像が第Ｎ＋１〜第２Ｎの原色で表示される第１の多原色画像により打ち消される。したがって、第１の期間と第２の期間とで知覚される輝度が同じになるため、フリッカが生じないという効果を得られる。
【００１８】
また、第１の期間に同期して、第１〜第Ｎの原色のみを透過させて第Ｎ＋１〜第２Ｎの原色を遮断し、第２の期間に同期して、第Ｎ＋１〜第２Ｎの原色のみを透過させて第１〜第Ｎの原色を遮断する機構を備えた光シャッタを通してのみ入力画像を見ることができるので、光シャッタを偽造されにくく、高い秘匿性が得られるという効果がある。
【図面の簡単な説明】
【００１９】
【図１】特許文献１に開示された画像表示装置の構成を示す図である。
【図２】特許文献２に開示された画像表示装置の構成を示す図である。
【図３】本発明の第１の実施形態の画像表示装置の構成を示す図である。
【図４】図３に示した６原色表示装置の原色スペクトルを示す図である。
【図５】本発明の第１の実施形態の画像表示装置における画像の表示順序を説明する図である。
【図６】図３に示した６原色表示装置の一構成例を示す図である。
【図７】図６に示した６原色表示装置において、６つの原色を生成する方法を説明する図である。
【図８】図３に示した６原色表示装置の他の構成例を示す図である。
【図９】図８に示した６原色表示装置のカラーフィルタの分光透過率特性を示す図である。
【図１０】図３に示した光シャッタの一構成例を示す図である。
【図１１】図１０に示した光シャッタのカラーフィルタの分光透過率特性を示す図である。
【図１２】図３に示した光シャッタの他の構成例を示す図である。
【図１３】図１２に示した光シャッタのカラーフィルタの分光透過率特性を示す図である。
【図１４】本発明の第２の実施形態の画像表示装置の構成を示す図である。
【図１５】本発明の第２の実施形態の画像表示装置における画像の表示順序を説明する図である。
【図１６】本発明の第３の実施形態の画像表示装置における画像の表示順序を説明する図である。
【図１７】本発明の第４の実施形態の画像表示装置における画像の表示順序を説明する図である。
【発明を実施するための最良の形態】
【００２０】
以下に、本発明を実施するための最良の形態について図面を参照して説明する。【００２１】
なお、本発明は、入力画像を、第１〜第２Ｎ（Ｎは１以上の整数）のプレーンからなる多原色画像に変換して処理を行うものであるが、以下では、説明を簡単にするため、３原色からなるカラー画像である入力画像を、第１〜第６のプレーンからなる６原色画像に変換するものとして説明する。また、以下で説明する全ての図面において、同様な構成要素には同様の符号を付し、適宜説明を省略する。【００２２】
（第１の実施形態）
図３は、本発明の第１の実施形態の画像表示装置の構成を示す図である。【００２３】
図３に示すように、本実施形態の画像表示装置は、画像分解部１１と、画像変換部１２と、多重化部１３と、６原色表示装置１４と、光シャッタ１５と、を有している。【００２４】
入力画像Ｔは、Ｒ（赤）、Ｇ（緑）、Ｂ（青）の３枚のプレーンからなるカラー画像である。【００２５】
画像分解部１１は、入力画像Ｔを６原色入力画像Ｑに変換する。【００２６】
６原色入力画像Ｑは、入力画像Ｔと同じ絵柄であるが、３枚のプレーンではなく、ＱＢ１，ＱＢ２，ＱＧ１，ＱＧ２，ＱＲ１，ＱＲ２の６枚のプレーンからなる画像である。【００２７】
入力画像Ｔから６原色入力画像Ｑへ変換する簡単な方法としては、ＴとＱの対応する画素ごとに、次のようにして画素値を求める方法がある。【００２８】
６原色入力画像ＱにおけるＱＲ１，ＱＲ２の画素値＝入力画像ＴにおけるＲプレーンの画素値
６原色入力画像ＱにおけるＱＧ１，ＱＧ２の画素値＝入力画像ＴにおけるＧプレーンの画素値
６原色入力画像ＱにおけるＱＢ１，ＱＢ２の画素値＝入力画像ＴにおけるＢプレーンの画素値
画像変換部１２は、６原色入力画像Ｑを、Ｑを打ち消すための６原色反転画像Ｉに変換する。【００２９】
６原色反転画像Ｉの構成プレーンはＩＢ１，ＩＢ２，ＩＧ１，ＩＧ２，ＩＲ１，ＩＲ２とする。【００３０】
ここで、画像変換部１２は、ＱとＩとを時間的に交互に表示した場合に、人間の目の積分効果によってＱとＩが時間的に合成され、Ｑと相関のない画像が表示されるように、Ｉを生成する。【００３１】
より具体的には、画像変換部１２は、Ｑの各画素の輝度値とＩの各画素の輝度値とを加算したときに、全ての画素が一定輝度（中間階調の灰色）となるようにＩを生成してもよいし、また、Ｑの内容がわからないようにするため、Ｑとは全く関係のない画像となるようにＩを生成してもよい。以下では、画像分解部１２は、一面灰色の画像となるようにＩを生成するものとして説明する。【００３２】
多重化部１３は、ＱとＩとを時間的に多重化する。【００３３】
ここで、多重化部１３は、ＱとＩを構成する全部で１２枚のプレーンのうち、第１の期間では、ＱＢ１，ＱＧ１，ＱＲ１，ＩＢ２，ＩＧ２，ＩＲ２を選択し、第２の期間では、ＩＢ１，ＩＧ１，ＩＲ１，ＱＢ２，ＱＧ２，ＱＲ２を選択する。【００３４】
多重化部１３で多重化された６原色画像は、時分割で６原色表示装置１４に出力される。【００３５】
図４は、６原色表示装置１４の原色スペクトルを示す図である。【００３６】
図４に示すように、６原色表示装置１４は、互いに重ならないスペクトルをもつ６つの原色（Ｂ１，Ｂ２，Ｇ１，Ｇ２，Ｒ１，Ｒ２）によって画像を表示可能である。ここで、６つの原色はレーザー光源のように狭帯域なスペクトルをもつ光源を用いてもよいが、必ずしも、全ての波長において互いに完全に重ならない関係である必要はない。すなわち、光シャッタ１５を通して画像を観察したときに、（Ｒ１，Ｇ１，Ｂ１）の原色による画像と、（Ｒ２，Ｇ２，Ｂ２）の原色による画像のクロストークが大きくならない範囲であれば、波長の「裾」の部分（図４における分光輝度値がピークに比べて十分小さい波長領域）において原色同士が多少重なっても構わない。しかし、原色同士が余りにも重なっていると、光シャッタ１５による原色の分離ができず、原色間のクロストークとして観察されてしまい画質が低下してしまう場合があるので注意が必要である。【００３７】
図５は、本実施形態の６原色表示装置１４における画像の表示順序を説明する図である。【００３８】
図５に示すように、６原色表示装置１４は、第１の期間では、第１の原色群Ｃ１（Ｂ１，Ｇ１，Ｒ１）によってＱＢ１，ＱＧ１，ＱＲ１を、第２の原色群Ｃ２（Ｂ２，Ｇ２，Ｒ２）によってＩＢ２，ＩＧ２，ＩＲ２を表示する。【００３９】
また、６原色表示装置１４は、第２の期間では、第１の原色群Ｃ１（Ｂ１，Ｇ１，Ｒ１）によってＩＢ１，ＩＧ１，ＩＲ１を、第２の原色群Ｃ２（Ｂ２，Ｇ２，Ｒ２）によってＱＢ２，ＱＧ２，ＱＲ２を表示する。【００４０】
そして、６原色表示装置１４は、第３の期間以降は、第１の期間と第２の期間の画像表示を繰り返す。【００４１】
光シャッタ１５は、６原色表示装置１４における画像の表示に同期して、第１の期間では、第１の原色群Ｃ１（Ｂ１，Ｇ１，Ｒ１）の光のみを通し、第２の期間では、第２の原色群Ｃ２（Ｂ２，Ｇ２，Ｒ２）の光のみを通すように制御される。【００４２】
このように制御すると、光シャッタ１５を通して６原色表示装置１４を見ると、第１の期間では、第１の原色群Ｃ１により表示されるＱＢ１，ＱＧ１，ＱＲ１の加法混色画像が見え、ＩＢ２，ＩＧ２，ＩＲ２は遮断される。【００４３】
また、第２の期間では、第２の原色群Ｃ２により表示されるＱＢ２，ＱＧ２，ＱＲ２の加法混色画像が見え、ＩＢ１，ＩＧ１，ＩＲ１は遮断される。【００４４】
そして、第１の期間と第２の期間とを高速に繰り返すと、人間の目の積分効果により、（ＱＢ１，ＱＧ１，ＱＲ１）と（ＱＢ２，ＱＧ２，ＱＲ２）とが時間的に合成され、６原色入力画像Ｑ、つまり入力画像Ｔを見ることができる。【００４５】
一方、光シャッタ１５を通さずに６原色表示装置１４を見ると、第１の期間に表示されるＱＢ１，ＱＧ１，ＱＲ１は第２の期間に表示されるＩＢ１，ＩＧ１，ＩＲ１によって打ち消され、第２の期間に表示されるＱＢ２，ＱＧ２，ＱＲ２は第１の期間に表示されるＩＢ２，ＩＧ２，ＩＲ２によって打ち消され、それにより全面灰色の画像が知覚される。従って、６原色入力画像Ｑ、つまり入力画像Ｔを見ることはできない。【００４６】
画像を表示する速さとしては、第１の期間の画像と第２の期間の画像とで１フレームの画像を形成するため、１フレーム＝１／６０秒以下、つまり第１の期間と第２の期間では、それぞれ１２０Ｈｚ以上の表示周波数で画像を表示することが好ましい。この表示周波数を下回ると、一般的には人間の目で第１の期間の画像と第２の期間の画像とが時間的に積分されず、独立した２枚の画像が交互に表示されているように知覚されてしまう。【００４７】
ここで、本実施形態において、第１の期間の画像と第２の期間の画像との輝度差が小さく、フリッカが生じない点について説明する。【００４８】
第１の期間では、６原色入力画像ＱのうちＱＢ１，ＱＧ１，ＱＲ１が、また、６原色反転画像ＩのうちＩＢ２，ＩＧ２，ＩＲ２が表示されている。ここで、ＱＢ１，ＱＧ１，ＱＲ１は、それぞれ入力画像ＴのもつＢ，Ｇ，Ｒ成分のうちの半分の輝度成分を持っていると解釈することができる。従って、入力画像Ｔのもう半分の輝度成分を持つＱＢ２，ＱＧ２，ＱＲ２は、ＱＢ１，ＱＧ１，ＱＲ１と全く同一ではないが、高い相関を持った値を持っているものと考えられる。そうすると、ＩＢ２，ＩＧ２，ＩＲ２は、ＱＢ２，ＱＧ２，ＱＲ２を打ち消すことができるだけでなく、完全ではないにしろＱＢ１，ＱＧ１，ＱＲ１も打ち消すことができ、画面全体を中間階調の灰色の画像にする働きを持っていることがわかる。【００４９】
第２の期間でも同様に、ＩＢ１，ＩＧ１，ＩＲ１は、ＱＢ２，ＱＧ２，ＱＲ２を打ち消して、画面全体を中間階調の灰色の画像にする働きを持っていることがわかる。【００５０】
以上により、第１の期間と第２の期間はともに、ほとんど同じ輝度をもつ中間階調の灰色画像が表示されるため、光シャッタ１５を通さずに６原色表示装置１４を見る人はフリッカを知覚することはない。【００５１】
本実施形態における、光シャッタ１５の偽造防止効果について説明する。【００５２】
図２に示した特許文献２に開示された画像表示装置では、３原色ディスプレイ３０１または３０２のいずれか一方の原色のみを透過させるようなフィルタ３０４を通して画面を見ることで、簡単に秘密画像が見えてしまうという課題があった。【００５３】
しかし、本実施形態では、第１の原色群Ｃ１の光のみを通すフィルタを通して６原色表示装置１４を見ても、第１の期間に表示されるＱＢ１，ＱＧ１，ＱＲ１は、第２の期間に表示されるＩＢ１，ＩＧ１，ＩＲ１によって時間的に打ち消されるため、入力画像Ｔを見ることはできない。【００５４】
同様に、第２の原色群Ｃ２の光のみを通すフィルタを通して６原色表示装置１４を見ても、第２の期間に表示されるＱＢ２，ＱＧ２，ＱＲ２は、第１の期間に表示されるＩＢ２，ＩＧ２，ＩＲ２によって時間的に打ち消されるため、入力画像Ｔを見ることはできない。【００５５】
従って、６原色表示装置１４における画像の表示に同期して、第１の期間では第１の原色群Ｃの光のみを通し、第２の期間では第２の原色群Ｃ２の光のみを通す光シャッタ１５を用いない限り、入力画像Ｔを見ることはできない。よって、高い秘匿性を持った画像表示装置を提供することができる。【００５６】
以下、本実施形態の構成についてさらに詳しく説明する。【００５７】
まず、６原色表示装置１４の具体的な構成について説明する。【００５８】
図６は、６原色表示装置１４の一構成例を示す図である。また、図７は、図６に示した６原色表示装置１４において、６つの原色を生成する方法を説明する図である。【００５９】
６原色表示装置１４の構成方法としては、例えば、図６に示すように、原色スペクトルが等しい２台の３原色プロジェクタ１４１Ａ，１４１Ｂを用いる方法が考えられる。この３原色プロジェクタ１４１Ａ，１４１Ｂの原色スペクトルが図７の上段のような特性を持っていると仮定する。この仮定の下で、３原色プロジェクタ１４１Ａの画像出力部には、図７の中段左に示すように、３原色プロジェクタ１４１Ａにおける各原色のスペクトルの長波長側のみを透過させる分光透過率特性を持つフィルタ１４２Ａを設ける。また、３原色プロジェクタ１４１Ｂの画像出力部には、図７の中段右に示すように、３原色プロジェクタ１４１Ｂにおける各原色のスペクトルの短波長側のみを透過させる分光透過率特性を持つフィルタ１４２Ｂを設ける。これにより、図７の下段に示すような、互いに分光スペクトルが重ならない６つの原色を作り出すことができる。そして、図６に示すように、３原色プロジェクタ１４１Ａ，１４１Ｂから出力された画像をスクリーン１４３上で合成することにより、６原色による表示が可能となる。なお、３原色プロジェクタ１４１Ａ，１４１Ｂは、液晶方式のプロジェクタでもよいし、ＤＬＰ方式のプロジェクタでもよい。【００６０】
また、２台の３原色プロジェクタ１４１Ａ，１４１Ｂの光源に、スペクトルの異なる２組のＬＥＤ光源またはレーザー光源を用いてもよい。具体的には、３原色プロジェクタ１４１Ａ，１４１Ｂの一方には図４のＢ１，Ｇ１，Ｒ１のようなスペクトルをもつ３色の光源を用い、他方には図４のＢ２，Ｇ２，Ｒ２のようなスペクトルをもつ３色の光源を用いる。この構成では、図６のようにフィルタ１４２Ａ，１４２Ｂを設ける必要がないので、図６の構成と比較して光源の光利用効率が高くできるという利点がある。【００６１】
図８は、６原色表示装置１４の他の構成例を示す図である。また、図９は、図８に示した６原色表示装置１４のカラーフィルタの分光透過率特性を説明する図である。【００６２】
６原色表示装置１４の他の構成方法として、図８に示すように、液晶ディスプレイ（液晶表示装置）やプラズマディスプレイにおいて、図９に示すような互いに重ならない分光透過率特性をもつ６色のカラーフィルタを用いて、６個のサブピクセルにより１画素を形成してもよい。これによっても、６原色表示を実現することができる。さらには、互いに重ならないスペクトル特性（分光放射輝度特性）をもつ６色の有機ＥＬ素子を用いた有機ＥＬディスプレイにおいても、６原色表示を実現することができる。【００６３】
図６及び図８に示したいずれの６原色表示装置１４でも本実施形態を実現することが可能であるが、重要なことは、６つの原色スペクトルが互いに重ならないことである。なぜなら、もし原色スペクトルが重なっていると、光シャッタ１５を通して画面を見たときに、本来は遮断されなければならない原色の画像が見えてしまい、クロストークが発生し、光シャッタ１５を通して見た画像の画質が低下してしまうからである。ただし、６原色表示装置の一般的な説明でも述べたように、クロストークが大きくならない範囲であれば、原色同士が多少重なっていても構わない。【００６４】
次に、光シャッタ１５の具体的な構成について説明する。【００６５】
図１０は、光シャッタ１５の一構成例を示す図である。また、図１１は、図１０に示した光シャッタ１５のカラーフィルタＦ１，Ｆ２の分光透過率特性を説明する図である。【００６６】
光シャッタ１５は、第１の期間では第１の原色群Ｃ１（Ｂ１，Ｇ１，Ｒ１）の光のみを通し、第２の期間では第２の原色群Ｃ２（Ｂ２，Ｇ２，Ｒ２）の光のみを通すものであればよい。【００６７】
従って、光シャッタ１５は、例えば、図１０に示すように、単純マトリクスまたはアクティブマトリクス液晶パネル上に、６原色表示装置１４の第１の原色群Ｃ１（Ｂ１，Ｇ１，Ｒ１）を透過させるカラーフィルタＦ１と、第２の原色群Ｃ２（Ｂ２，Ｇ２，Ｒ２）を透過させるカラーフィルタＦ２と、を市松状に配置した液晶パネルにより実現することができる。第１の原色群の光のみを通したいときは、Ｆ１が配置された画素群をＯＮ（液晶は透過状態）かつＦ２が配置された画素群をＯＦＦ（液晶は遮断状態）とし、第２の原色群の光のみを通したいときは、Ｆ２が配置された画素群をＯＮ（液晶は透過状態）かつＦ１が配置された画素群をＯＦＦ（液晶は遮断状態）とすればよい。【００６８】
図１２は、光シャッタ１５の他の構成例を示す図である。また、図１３は、図１２に示した光シャッタ１５のカラーフィルタＦＢ１，ＦＧ１，ＦＲ１，ＦＢ２，ＦＧ２，ＦＲ２の分光透過率特性を説明する図である。【００６９】
光シャッタ１５の他の例としては、図１２に示すように、６原色ディスプレイの６つの原色Ｂ１，Ｇ１，Ｒ１，Ｂ２，Ｇ２，Ｒ２をそれぞれ透過させるような６色のカラーフィルタＦＢ１，ＦＧ１，ＦＲ１，ＦＢ２，ＦＧ２，ＦＲ２を市松状に配置した液晶パネルでもよい。この構成の場合は、第１の原色群Ｃ１の光のみを通したいときは、ＦＢ１，ＦＧ１，ＦＲ１が配置された画素群をＯＮ（液晶は透過状態）かつＦＢ２，ＦＧ２，ＦＲ２が配置された画素群をＯＦＦ（液晶は遮断状態）とし、第２の原色群Ｃ２の光のみを通したいときは、ＦＢ２，ＦＧ２，ＦＲ２が配置された画素群をＯＮ（液晶は透過状態）かつＦＢ１，ＦＧ１，ＦＲ１が配置された画素群をＯＦＦ（液晶は遮断状態）とすればよい。【００７０】
６原色表示装置１４と光シャッタ１５の動作タイミングを同期させる方法としては、多重化部１３から６原色表示装置１４に画像を伝送するタイミングに同期して多重化部１３から光シャッタ１５に同期信号を伝送する方法や、６原色表示装置１４での表示タイミングに同期して６原色表示装置１４から光シャッタ１５に同期信号を伝送する方法などが考えられる。同期信号の伝送形態は有線・無線を問わない。また、同期信号を暗号化してもよい。同期信号を暗号化すると、仮に光シャッタ１５を偽造できたとしても、同期信号を復号化しない限り入力画像Ｔが見られないので、より秘匿性を向上させることができる。【００７１】
（第２の実施形態）
図１４は、本発明の第２の実施形態の画像表示装置の構成を示す図である。【００７２】
図１４に示すように、本実施形態の画像表示装置は、図３の第１の実施形態の構成と比較して、入力画像Ｔに加えて、公衆画像Ｐが入力される点と、第２の画像分解部である画像分解部１６を追加した点と、が異なる。【００７３】
公衆画像Ｐは、入力画像Ｔと同様に、Ｒ（赤）、Ｇ（緑）、Ｂ（青）の３枚のプレーンからなるカラー画像である。【００７４】
画像分解部１６は、公衆画像Ｐを６原色公衆画像Ｕに変換する。【００７５】
６原色公衆画像Ｕの構成プレーンはＵＢ１，ＵＧ１，ＵＲ１，ＵＢ２，ＵＧ２，ＵＲ２とする。【００７６】
多重化部１３は、ＱとＩとＵとを時間的に多重化する。【００７７】
ここで、多重化部１３は、ＱとＩとＵを構成する全部で１８枚のプレーンのうち、第１の期間においては、ＱＢ１，ＱＧ１，ＱＲ１，ＩＢ２，ＩＧ２，ＩＲ２を選択し、第２の期間においては、ＩＢ１，ＩＧ１，ＩＲ１，ＱＢ２，ＱＧ２，ＱＲ２を選択し、第３の期間においては、ＵＢ１，ＵＧ１，ＵＲ１，ＵＢ２，ＵＧ２，ＵＲ２を選択する。【００７８】
多重化部１３で多重化された６原色画像は、図３の構成と同様に、時分割で６原色表示装置１４に出力される。【００７９】
図１５は、本実施形態の６原色表示装置１４における画像の表示順序を説明する図である。【００８０】
図１５に示すように、６原色表示装置１４は、第１の期間では、第１の原色群Ｃ１（Ｂ１，Ｇ１，Ｒ１）によってＱＢ１，ＱＧ１，ＱＲ１を、第２の原色群Ｃ２（Ｂ２，Ｇ２，Ｒ２）によってＩＢ２，ＩＧ２，ＩＲ２を表示する。【００８１】
また、６原色表示装置１４は、第２の期間では、第１の原色群Ｃ１（Ｂ１，Ｇ１，Ｒ１）によってＩＢ１，ＩＧ１，ＩＲ１を、第２の原色群Ｃ２（Ｂ２，Ｇ２，Ｒ２）によってＱＢ２，ＱＧ２，ＱＲ２を表示する。【００８２】
また、６原色表示装置１４は、第３の期間では、第１の原色群Ｃ１（Ｂ１，Ｇ１，Ｒ１）によってＵＢ１，ＵＧ１，ＵＲ１を、第２の原色群Ｃ２（Ｂ２，Ｇ２，Ｒ２）によってＵＢ２，ＵＧ２，ＵＲ２を表示する。【００８３】
そして、６原色表示装置１４は、第４の期間以降は、第１の期間から第３の期間の画像表示を繰り返す。【００８４】
光シャッタ１５は、６原色表示装置１４における画像の表示に同期して、第１の期間では、第１の原色群Ｃ１（Ｂ１，Ｇ１，Ｒ１）の光のみを通し、第２の期間では、第２の原色群Ｃ２（Ｂ２，Ｇ２，Ｒ２）の光のみを通し、第３の期間では、第１の原色群Ｃ１（Ｂ１，Ｇ１，Ｒ１）の光及び第２の原色群Ｃ２（Ｂ２，Ｇ２，Ｒ２）の光をどちらも遮断するように制御される。【００８５】
このように制御すると、光シャッタ１５を通して６原色表示装置１４を見ると、第１の期間では、第１の原色群Ｃ１により表示されるＱＢ１，ＱＧ１，ＱＲ１の加法混色画像が見え、ＩＢ２，ＩＧ２，ＩＲ２は遮断される。【００８６】
また、第２の期間では、第２の原色群Ｃ２により表示されるＱＢ２，ＱＧ２，ＱＲ２の加法混色画像が見え、ＩＢ１，ＩＧ１，ＩＲ１は遮断される。【００８７】
また、第３の期間では、Ｃ１，Ｃ２のどちらも遮断されるため画像は見えない。【００８８】
そして、第１の期間と第２の期間と第３の期間とを高速に繰り返すと、人間の目の積分効果により、（ＱＢ１，ＱＧ１，ＱＲ１）と（ＱＢ２，ＱＧ２，ＱＲ２）とが時間的に合成され、６原色入力画像Ｑ、つまり入力画像Ｔを見ることができる。【００８９】
一方、光シャッタ１５を通さずに６原色表示装置１４を見ると、第１の期間に表示されるＱＢ１，ＱＧ１，ＱＲ１は第２の期間に表示されるＩＢ１，ＩＧ１，ＩＲ１によって打ち消され、第２の期間に表示されるＱＢ２，ＱＧ２，ＱＲ２は第１の期間に表示されるＩＢ２，ＩＧ２，ＩＲ２によって打ち消され、第３の期間に表示されるＵＢ１，ＵＧ１，ＵＲ１，ＵＢ２，ＵＧ２，ＵＲ２のみが見える。従って、６原色入力画像Ｑ、つまり入力画像Ｔを見ることはできない。このように、公衆画像Ｐを加えることによって、光シャッタ１５を通す場合と通さない場合とで全く別の画像を見ることができる。【００９０】
画像を表示する速さとしては、第１の期間の画像と第２の期間の画像と第３の期間の画像とで１フレームの画像を形成するため、１フレーム＝１／６０秒以下、つまり第１の期間〜第３の期間はそれぞれ１８０Ｈｚ以上の表示周波数で画像を表示することが好ましい。この表示周波数を下回ると、一般的には人間の目で第１の期間の画像と第２の期間の画像と第３の期間の画像とが時間的に積分されず、独立した３枚の画像が交互に表示されているように知覚されてしまう。【００９１】
（第３の実施形態）
本発明の第３の実施形態の画像表示装置は、図３または図１４と同様の構成であるが、６原色表示装置１４における画像の表示順序が図５及び図１５とは異なる。【００９２】
図５の方法では、第１の期間では、Ｃ１によってＱＢ１，ＱＧ１，ＱＲ１を、Ｃ２によってＩＢ２，ＩＧ２，ＩＲ２を表示し、第２の期間では、Ｃ２によってＱＢ２，ＱＧ２，ＱＲ２を、Ｃ１によってＩＢ１，ＩＧ１，ＩＲ１を表示し、第３の期間以降は、第１の期間と第２の期間の画像表示を繰り返していた。【００９３】
しかし、第３の期間以降に表示する画像の順序は、第１の期間と第２の期間に表示した画像の順序に限定しなくてもよく、変えることもできる。【００９４】
また、図１５の方法では、第４の期間以降は、第１の期間〜第３の期間の画像表示を繰り返していたが、第４の期間以降に表示する画像は、第１の期間〜第３の期間に表示した画像に限定しなくてもよく、変えることもできる。【００９５】
本実施形態の画像表示装置は、期間ごとに画像表示を変えるものである。【００９６】
以下では、本実施形態の画像表示装置は、図３と同様の構成であるものとし、図１６に示すように、第３の期間、第４の期間における表示画像が、それぞれ第１の期間、第２の期間の表示画像と異なるものとして説明する。【００９７】
図１６は、本実施形態の６原色表示装置１４における画像の表示順序を説明する図である。【００９８】
図１６に示すように、６原色表示装置１４は、第３の期間では、Ｂ１，Ｒ１，Ｇ２によってＱＢ１，ＱＲ１，ＱＧ２を、Ｂ２，Ｒ２，Ｇ１によってＩＢ２，ＩＲ２，ＩＧ１を表示し、また、第４の期間では、Ｂ１，Ｒ１，Ｇ２によってＩＢ１，ＩＲ１，ＩＧ２を、Ｂ２，Ｒ２，Ｇ１によってＱＢ２，ＱＲ２，ＱＧ１を表示する。【００９９】
光シャッタ１５は、６原色表示装置１４における画像の表示に同期して、第３の期間では、Ｂ１，Ｒ１，Ｇ２の光のみを通し、第４の期間では、Ｂ２，Ｒ２，Ｇ１の光のみを通すように制御される。このように、光シャッタ１５は、第１の期間、第２の期間とは異なる組の原色を通すように制御されることから、図１２に示した構成のように、６つの原色について透過させるか遮断するかを独立に制御できるものを使用するのが好ましい。【０１００】
このように制御すると、光シャッタ１５を通して６原色表示装置１４を見ると、第３の期間ではＱＢ１，ＱＲ１，ＱＧ２の加法混色画像が見え、ＩＢ２，ＩＲ２，ＩＧ１は遮断される。【０１０１】
また、第４の期間では、ＱＢ２，ＱＲ２，ＱＧ１の加法混色画像が見え、ＩＢ１，ＩＲ１，ＩＧ２は遮断される。【０１０２】
従って、人間の目の積分効果により、（ＱＢ１，ＱＲ１，ＱＧ２）と（ＱＢ２，ＱＲ２，ＱＧ１）とが時間的に合成され、６原色入力画像Ｑ、つまり入力画像Ｔを見ることができる。【０１０３】
このように、隣接する２つの期間では、各プレーンの画像がキャンセルされればよいため、図５に示したように、第１の期間では必ずＱＢ１，ＱＧ１，ＱＲ１，ＩＢ２，ＩＧ２，ＩＲ２の組の画像が表示され、第２の期間では必ずＩＢ１，ＩＧ１，ＩＲ１，ＱＢ２，ＱＧ２，ＱＲ２の組の画像が表示される必要は無い。【０１０４】
図１６の方法では、光シャッタ１５において透過させる原色が毎回異なるため、表示画像と光シャッタ１５の同期信号を暗号化した場合に、図５の方法と比べて、暗号化をより強固なものとすることができる。【０１０５】
例えば、図５の方法では、画像を表示するタイミングさえわかってしまえば、それに合わせてＢ１，Ｇ１，Ｒ１あるいはＢ２，Ｇ２，Ｒ２の原色を透過させるように光シャッタ１５を制御すれば、入力画像Ｔ（６原色入力画像Ｑ）を見ることができてしまう。【０１０６】
これに対して、図１６の方法では、画像の表示タイミングがわかっても、その表示タイミングでどの原色を透過させればよいかがわからないので、入力画像Ｔを見ることはできない。【０１０７】
ここでは、本実施形態の画像表示装置が、図３と同様の構成であるものとし、図５における第３の期間、第４の期間における表示画像を変える例を示した。もちろん図１４のように公衆画像Ｐを加える構成においても同様に、図１５における第４の期間、第５の期間における表示画像を変えることができる。【０１０８】
（第４の実施形態）
本発明の第４の実施形態の画像表示装置は、図３または図１４と同様の構成であるが、６原色表示装置１４における画像の表示順序が図５、図１５及び図１６とは異なる。【０１０９】
図５、図１５及び図１６の方法では、第１及び第２の期間において、光シャッタ１５を通さずに６原色表示装置１４を見た場合に、全面灰色の画像が知覚されるように６原色画像を表示していた。【０１１０】
しかし、第１及び第２の期間に光シャッタ１５を通さずに６原色表示装置１４を見た場合に知覚される画像は、全面灰色の画像に限定しなくてもよく、入力画像Ｔ以外の画像（例えば、公衆画像Ｐ）が知覚されればよい。【０１１１】
本実施形態の画像表示装置は、第１または第２の期間において、光シャッタ１５を通さずに６原色表示装置１４を見た場合に、光シャッタ１５が遮断している原色を利用して、入力画像Ｔ以外の画像（公衆画像Ｐ）を表示するものである。【０１１２】
以下では、本実施形態の画像表示装置は、図１４と同様の構成であるものとし、図１７に示すように、第１及び第２の期間において、光シャッタ１５が遮断している原色に、公衆画像Ｐを上乗せして表示するものとして説明する。【０１１３】
図１７は、本実施形態の６原色表示装置１４における画像の表示順序を説明する図である。【０１１４】
図１７に示すように、第１の期間では、第２の原色群Ｃ２（Ｂ２，Ｇ２，Ｒ２）の色は光シャッタ１５には透過されない。そのため、６原色表示装置１４は、第１の期間では、（ＩＢ２，ＩＧ２，ＩＲ２）に、６原色公衆画像Ｕのうちの（ＵＢ２，ＵＧ２，ＵＲ２）を加算して表示する。そうすると、第１の期間では、（ＱＢ１，ＱＧ１，ＱＲ１）が（ＩＢ２，ＩＧ２，ＩＲ２）によって打ち消されるとともに、６原色公衆画像Ｕのうち原色群Ｃ２（Ｂ２，Ｇ２，Ｒ２）の色が表示される。【０１１５】
また、第２の期間では、第１の原色群Ｃ１（Ｂ１，Ｇ１，Ｒ１）の色は光シャッタ１５には透過されない。そのため、６原色表示装置１４は、第２の期間では、（ＩＢ１，ＩＧ１，ＩＲ１）に、６原色公衆画像Ｕのうちの（ＵＢ１，ＵＧ１，ＵＲ１）を加算して表示する。そうすると、第２の期間では、（ＱＢ１，ＱＧ１，ＱＲ１）が（ＩＢ１，ＩＧ１，ＩＲ１）によって打ち消されるとともに、６原色公衆画像Ｕのうち原色群Ｃ１（Ｂ１，Ｇ１，Ｒ１）の色が表示される。【０１１６】
光シャッタ１５を通して６原色表示装置１４を見ると、第１の期間では、第１の原色群Ｃ１により表示される（ＱＢ１，ＱＧ１，ＱＲ１）が見え、第２の原色群Ｃ２により表示される（ＩＢ２，ＩＧ２，ＩＲ２）と（ＵＢ２，ＵＧ２，ＵＲ２）の加算画像は遮断される。【０１１７】
また、第２の期間では、第２の原色群Ｃ２により表示される（ＱＢ２，ＱＧ２，ＱＲ２）が見え、第１の原色群Ｃ１により表示される（ＩＢ１，ＩＧ１，ＩＲ１）と（ＵＢ１，ＵＧ１，ＵＲ１）の加算画像は遮断される。【０１１８】
そして、人間の目の積分効果により、（ＱＢ１，ＱＧ１，ＱＲ１）と（ＱＢ２，ＱＧ２，ＱＲ２）とが時間的に合成され、６原色入力画像Ｑを見ることができる。【０１１９】
一方、光シャッタ１５を通さずに６原色表示装置１４を見ると、第１の期間に表示されるＱＢ１，ＱＧ１，ＱＲ１は第２の期間に表示されるＩＢ１，ＩＧ１，ＩＲ１によって打ち消され、第２の期間に表示されるＱＢ２，ＱＧ２，ＱＲ２は第１の期間に表示されるＩＢ２，ＩＧ２，ＩＲ２によって打ち消され、第１の期間に表示される（ＵＢ２，ＵＧ２，ＵＲ２）と第２の期間に表示される（ＵＢ１，ＵＧ１，ＵＲ１）とが合成され、６原色公衆画像Ｕが知覚される。【０１２０】
本実施形態は、図５、図１５及び図１６のいずれの方法にも同様に適用することができる。【０１２１】
例えば、図１５の方法において、本実施形態を適用して、第１及び第２の期間に公衆画像Ｐを表示する場合の例を考える。【０１２２】
この場合、光シャッタ１５を通して６原色表示装置１４を見ると、第１の期間では、第１の原色群Ｃ１により表示される（ＱＢ１，ＱＧ１，ＱＲ１）が見え、第２の原色群Ｃ２により表示される（ＩＢ２，ＩＧ２，ＩＲ２）と（ＵＢ２，ＵＧ２，ＵＲ２）の加算画像は遮断される。【０１２３】
また、第２の期間では、第２の原色群Ｃ２により表示される（ＱＢ２，ＱＧ２，ＱＲ２）が見え、第１の原色群Ｃ１により表示される（ＩＢ１，ＩＧ１，ＩＲ１）と（ＵＢ１，ＵＧ１，ＵＲ１）の加算画像は遮断される。【０１２４】
また、第３の期間では、Ｑ，Ｉ，Ｐのいずれの画像も見ることはできない。【０１２５】
そして、人間の目の積分効果により、（ＱＢ１，ＱＧ１，ＱＲ１）と（ＱＢ２，ＱＧ２，ＱＲ２）とが時間的に合成され、６原色入力画像Ｑを見ることができる。【０１２６】
一方、光シャッタ１５を通さずに６原色表示装置１４を見ると、第１の期間に表示されるＱＢ１，ＱＧ１，ＱＲ１は第２の期間に表示されるＩＢ１，ＩＧ１，ＩＲ１によって打ち消され、第２の期間に表示されるＱＢ２，ＱＧ２，ＱＲ２は第１の期間に表示されるＩＢ２，ＩＧ２，ＩＲ２によって打ち消され、第１の期間に表示される（ＵＢ２，ＵＧ２，ＵＲ２）と、第２の期間に表示される（ＵＢ１，ＵＧ１，ＵＲ１）と、第３の期間に表示される公衆画像ＵＢ１，ＵＧ１，ＵＲ１，ＵＢ２，ＵＧ２，ＵＲ２と、が合成され、６原色公衆画像Ｕが知覚される。【０１２７】
図１５の方法に本実施形態を適用しない場合、光シャッタ１５を通さずに６原色表示装置１４を見ると、第１〜第３の期間のうちで全面灰色の画像が表示される割合が大きくなることから、全面灰色に近い６原色公衆画像Ｕの画像が知覚される。【０１２８】
これに対して、図１５の方法に本実施形態を適用した場合は、光シャッタ１５を通さずに６原色表示装置１４を見ると、第１〜第３の期間のうちで公衆画像Ｕが表示される割合が大きくなることから、６原色公衆画像Ｕが知覚される。したがって、図１５の方法に本実施形態を適用しない場合に比べて、光シャッタ１５を通さずに見たときに知覚される画像（６原色公衆画像Ｕ）のコントラストを向上させることができるという利点がある。【０１２９】
また、図１６の方法において、本実施形態を適用する場合は、各期間において光シャッタ１５が遮断している原色を利用して公衆画像を表示すればよい。光シャッタ１５の制御方法は図１６と同様であり、知覚される画像は図１７と同様である。【０１３０】
本実施形態では、第１または第２の期間において、（ＩＢ２，ＩＧ２，ＩＲ２）または（ＩＢ１，ＩＧ１，ＩＲ１）に対して６色公衆画像Ｕを加算して表示するため、あらかじめＩの輝度を下げておく必要がある。また、ＩとＱを時間的に表示したときにキャンセルされるように、Ｑの輝度も下げておく必要がある。この処理は、画像分解部１１で入力画像Ｔを６原色画像Ｑに変換する際に実施することができる。【０１３１】
以上、本発明を上記の実施形態に即して説明したが、本発明は、上記の実施形態にのみ限定されるものではなく、本願の特許請求の範囲の各請求項の発明の範囲内で当業者であればなし得るであろう各種変形、修正を含むことは勿論である。【０１３２】
本出願は、２００７年８月２４日に出願された日本出願特願２００７−２１８２０４を基礎とする優先権を主張し、その開示の全てをここに取り込む。
【図１】
2009028262.tif 000003
【図２】
2009028262.tif 000004
【図３】
2009028262.tif 000005
【図４】
2009028262.tif 000006
【図５】
2009028262.tif 000007
【図６】
2009028262.tif 000008
【図７】
2009028262.tif 000009
【図８】
2009028262.tif 000010
【図９】
2009028262.tif 000011
【図１０】
2009028262.tif 000012
【図１１】
2009028262.tif 000013
【図１２】
2009028262.tif 000014
【図１３】
2009028262.tif 000015
【図１４】
2009028262.tif 000016
【図１５】
2009028262.tif 000017
【図１６】
2009028262.tif 000018
【図１７】
2009028262.tif 000019
【国際調査報告】
2009028262.tif 000020
2009028262.tif 000021
2009028262.tif 000022
2009028262.tif 000023